(57)【特許請求の範囲】
【請求項１】
フレキシブルな絶縁シート内部に導体パターンを配置し、コネクタに接続されるフラットケーブルにおいて、
コネクタと接続するコネクタ接続部と、
前記コネクタ接続部近傍の前記絶縁シートを、前記絶縁シートと同一面で外部に延長した冗長部と、を備え、
前記冗長部の形状が前記コネクタを取り巻く環状であることを特徴とするフラットケーブル。
【発明の詳細な説明】
【０００１】
【産業上の利用分野】
本発明は、ＯＡ機器、家電製品等の電子機器内部で、フレキシブルに電気的接続を行うためのフラットケーブルの形状に関する。
【０００２】
【従来の技術】
図７は従来のフラットケーブルを示す図であり、図７（ａ）はその上面図、図７（ｂ）はその断面図である。
また、図７（ｃ）及び（ｄ）はフラットケーブル３１がコネクタに接続されている様子を示した図であり、（ｃ）はその上面図、（ｄ）はその断面図である。
【０００３】
図７において３２は絶縁フィルム、３２ａ絶縁シートのベース部、３２ｂは絶縁シートのカバー部、３３は導体パターン、３４は補強板、３５はコネクタ接続部、３６はコネクタ、３７はコネクタロックである。
ベース部３２ａ上には導体パターン３３が印刷され、導体パターン３３上にはコネクタ接続部３５を除いてシート部３２ｂが貼り付けられている。コネクタ接続部３５のベース部３１ａ裏面には、コネクタ接続部３５の強度を保証するための補強板３４が設けられている。
【０００４】
このフラットケーブルをコネクタ３６に接続するには、補強板３４の縁を指でつまんでコネクタ３６に挿入する。挿入後、正常な位置からはずれないように指で支持しながらコネクタロック３７をかける。
【０００５】
【発明が解決しようとする課題】
このようなフラットケーブルは、指でつまんでコネクタに挿入する際に、特にコネクタ周辺に多くの部品が実装されている場合、指と実装された部品とが接触して挿入しずらい上、挿入後においても、コネクタロックをかけるまで指で正しい位置に支持しておかなければならず不安定であり、ずれる可能性が高いという問題があった。
【０００６】
本発明は上記の課題を解決するするためのもので、フラットケーブルをコネクタへ容易に且つ確実に接合することを目的とする。
【０００７】
【課題を解決するための手段】
本発明では上記課題を解決するためにフラットケーブルのコネクタ近傍のフレキシブルな絶縁シートを、絶縁シートと同一面で外部に延長した冗長部を設ける。
また、冗長部は挿入先となるコネクタを取り巻く環状になっている。
また、冗長部はコネクタに対する位置決め用の穴が形成されている。
【０００８】
また、冗長部には補強板が形成されている。
【０００９】
【作用】
フラットケーブルをコネクタに挿入の際、冗長部を指でつまむことにより、指と実装部品との接触を避けることができるので挿入し易くなる。
また、冗長部をコネクタを取り巻く形状にすることにより、コネクタ挿入後、フラットケーブルを所定の位置に固定しておくことができ、ロックを掛けるまでずれることがない。
【００１０】
また、冗長部に穴を設けることにより、コネクタ挿入後、穴にピンを差し込んで固定することによってもロックを掛けるまでのずれを防止することができる。更に、冗長部に補強板を設けることにより冗長部の強度が増し、コネクタへのはめ込みやピン差込みの繰り返しに対して耐久性がよくなる。
【００１１】
【実施例】
図１は本発明の第１の実施例におけるフラットケーブル１−１の図であり、図１（ａ）はその上面図、図１（ｂ）はその断面図である。
また、図１（ｃ）及び（ｄ）はフラットケーブル１−１がコネクタに接続されている様子を示した図であり、（ｃ）はその上面図、（ｄ）はその断面図である。
【００１２】
図１中、２は絶縁シート、２ａは絶縁シートのベース部、２ｂは絶縁シートのカバー部、３は導体パターン、４は補強板、５はコネクタ接続部、８は冗長部、６はコネクタ、７はコネクタロックである。
ベース部２ａ上には導体パターン３が印刷され、導体パターン３上にはコネクタ接続部５を除いてシート部２ｂが貼り付けられている。コネクタ接続部５のベース部２ａ裏面には、コネクタ接続部５の強度を保証するための補強板４が設けられている。コネクタ接続部近傍には絶縁シート２を外部に延長した冗長部８が設けられている。
【００１３】
フラットケーブル１−１をコネクタ６に挿入するには、冗長部８を指でつまみ、基板２０上に実装されたコネクタ６に挿入する。挿入後、冗長部８を指でつまんだまま正常な位置からずれないように支え、コネクタロック７をかける。
図２は本発明の第２の実施例におけるフラットケーブルを示す図であり、図２（ａ）はその上面図、図２（ｃ）はフラットケーブル１−２がコネクタに接続されている様子を示した図である。
【００１４】
本実施例においては、絶縁シート２の両側に冗長部８を設けてある。これにより、両方の冗長部をつまんで基板２０上に実装されたコネクタ６に挿入できるので、操作性が更に向上する。
図３は本発明の第３の実施例におけるフラットケーブルを示す図であり、図３（ａ）はその上面図、図３（ｂ）はその断面図である。
【００１５】
また、図３（ｃ）及び図３（ｄ）はフラットケーブル１−３がコネクタに接続されている様子を示した図であり、（ｃ）はその上面図、（ｄ）はその断面図である。
本実施例におけるフラットケーブル１−３には、本発明の第１及び第２の実施例における冗長部８に折り曲げ部２１を設けた冗長部９を有し、冗長部９の一部を垂直方向に折り曲げ可能としたものである。
【００１６】
フラットケーブル１−３をコネクタ６に接続するには、冗長部９の折り曲げた部分を指ででつまんで基板２０上のコネクタ６に挿入し、挿入後もつまんだ状態を保持し、ずれないように固定しながらコネクタロック７をかける。これは、特にコネクタ周辺に実装部品を多数有する場合、実装部品が挿入の妨げにならずにすむという利点がある。
【００１７】
図４は本発明のフラットケーブルを示す図であり、図４（ａ）はその上面図、図４（ｂ）はその断面図である。
また、図４（ｃ）及び図４（ｄ）はフラットケーブル１−４がコネクタに接続されている様子を示した図であり、（ｃ）はその上面図、（ｄ）はその断面図である。
【００１８】
本実施例におけるフラットケーブル１−４は図４のように、コネクタ６を囲むように環状に形成された冗長部１０を設けている。
フラットケーブル１−４を基板２０上に実装されたコネクタ６に接続するには、冗長部１０を指でつまみ、コネクタ接続部５をコネクタ６に挿入するとともに、冗長部１０コネクタ６にはめ込む。これにより、フラットケーブル１−４は固定された状態となり、指を放した状態でも、正常な位置を保持したままコネクタロック７をかけることができる。
【００１９】
図５は本発明の第５の実施例におけるフラットケーブル１−５を示す図であり、図５（ａ）はその上面図、図５（ｂ）はその断面図である。
また、図５（ｃ）及び図５（ｄ）はフラットケーブル１−５がコネクタに接続されている様子を示した図であり、（ｃ）はその上面図、（ｄ）はその断面図である。
【００２０】
本実施例におけるフラットケーブル１−５は、図５のように本発明の第１及び第２の実施例に説明したフラットケーブル１−１及び１−２の冗長部８に穴２２を設けた冗長部１１を有している。
フラットケーブル１−５を基板２９上に実装されたコネクタ６に接続するには、第１の実施例及び第２の実施例同様、冗長部１１を指でつまみ、コネクタ接続部５をコネクタ６に挿入する。挿入後、冗長部１１の穴にピン２３を差し込みフラットケーブル１−５を固定する。この状態でコネクタロック７をかける。これにより、第４の実施例４と同様、コネクタ６に挿入後、指を放してもずれる恐れがなく、正常な状態を保持したままコネクタロック７をかけることができる。
【００２１】
図６は本発明の第６の実施例におけるフラットケーブルを示す図であり、図６（ａ）はその上面図、図６（ｂ）はその断面図である。
また、図６（ｃ）及び図６（ｄ）はフラットケーブル１−６がコネクタに接続されている様子を示した図であり、（ｃ）はその上面図、（ｄ）はその断面図である。
【００２２】
本実施例におけるフラットケーブル１−６は第４の実施例で用いたフラットケーブル１−４の冗長部１０に補強板２４を設けたものである。
基板２９上に実装されたコネクタ６への接続の仕方は第４の実施例と同一であるが、補強板２４を設けたことにより、冗長部１０が補強され、コネクタとの着脱の繰り返しに対して、耐久性が良くなる。
【００２３】
【発明の効果】
本発明によると、フラットケーブルに冗長部を設け、冗長部をつまんで容易にコネクタに挿入できるので、操作性が向上する上、各種固定手段を設けたことにより、挿入後も正常な接続位置を保持することができ、ずれる心配がないので信頼性が向上する。
【００２４】
また、複雑な構成を必要としないので容易に製造できる。
【図面の簡単な説明】
【図１】本発明の第１の実施例を示す図
【図２】本発明の第２の実施例を示す図
【図３】本発明の第３の実施例を示す図
【図４】本発明の第４の実施例を示す図
【図５】本発明の第５の実施例を示す図
【図６】本発明の第６の実施例を示す図
【図７】従来のフラットケーブルを示す図
【符号の説明】
１−１〜１−６・・・フラットケーブル
２・・・絶縁シート
３・・・導体パターン
４，２４・・・補強板
５・・・コネクタ接続部
６・・・コネクタ
８〜１１・・・冗長部
【図１】
0003612727.tif 000002
【図２】
0003612727.tif 000003
【図３】
0003612727.tif 000004
【図４】
0003612727.tif 000005
【図５】
0003612727.tif 000006
【図６】
0003612727.tif 000007
【図７】
0003612727.tif 000008